(57)【要約】      （修正有）【課題】衛星信号および標準電波信号を受信でき、薄型化できる電子時計の提供。【解決手段】電子時計は、衛星信号を受信する平面アンテナ４０と、標準電波信号を受信するバーアンテナ１５０と、複数の指針を有する時刻表示部と、指針を駆動する複数のモーター１４１〜１４５と、電池１３０と、時計ケースとを備える電子時計であって、電子時計の平面視において、平面アンテナ４０と、バーアンテナ１５０と、電池１３０とは、時計ケース内で互いに平面的に重ならない位置に配置され、複数のモーター１４１〜１４５は、平面アンテナ４０およびバーアンテナ１５０とは、時計ケース内で平面的に重ならない位置に配置され、複数のモーター１４１〜１４５のうち少なくとも一つのモーター１４１、１４３、１４５は、時計ケース内で電池１３０と平面的に重なる位置に配置される。【選択図】図６
2020012842.tif 000002
【特許請求の範囲】
【請求項１】
衛星信号を受信する平面アンテナと、標準電波信号を受信するバーアンテナと、複数の指針と文字板とを有する時刻表示部と、前記指針を駆動する複数のモーターと、電池と、時計ケースとを備える電子時計であって、
前記文字板に直交する方向から視認する平面視において、前記平面アンテナと、前記バーアンテナと、前記複数のモーターと、前記電池とは、前記時計ケースの内側に且つ前記文字板と重なる位置に配置され、前記平面アンテナと、前記バーアンテナと、前記電池とは、前記平面視において互いに重ならない位置に配置され、
前記複数のモーターは、前記平面アンテナおよび前記バーアンテナとは、前記平面視において重ならない位置に配置され、
前記複数のモーターのうち少なくとも一つのモーターは、前記平面視において前記電池と重なる位置に配置される
ことを特徴とする電子時計。
【請求項２】
衛星信号を受信する平面アンテナと、標準電波信号を受信するバーアンテナと、複数の指針軸と前記指針軸に取り付けられた指針と文字板とを有する時刻表示部と、前記指針軸を駆動する複数のモーターと、電池と、時計ケースとを備える電子時計であって、
前記文字板に直交する方向から視認する平面視において、前記平面アンテナと、前記バーアンテナと、前記複数のモーターと、前記電池とは、前記時計ケースの内側に且つ前記文字板と重なる位置に配置され、前記平面アンテナと、前記バーアンテナと、前記電池とは、前記平面視において互いに重ならない位置に配置され、
前記複数の指針軸は、前記平面アンテナおよび前記バーアンテナとは、前記平面視において重ならない位置に配置され、
前記複数の指針軸のうち少なくとも一つの指針軸は、前記平面視において前記電池と重なる位置に配置される
ことを特徴とする電子時計。
【請求項３】
請求項１または請求項２に記載の電子時計において、
前記時計ケースの内側に且つ前記文字板の裏面側に配置され、電極層を有する太陽電池を備え、
前記電極層は、前記平面視において、前記平面アンテナとは重ならず、前記バーアンテナとは重なる位置に配置される
ことを特徴とする電子時計。
【請求項４】
請求項１から請求項３のいずれか一項に記載の電子時計において、
前記時計ケースの内側に配置され、前記モーターの駆動を制御する制御用ＩＣと前記電池を含む電源を制御する電源制御ＩＣとが実装された第１回路基板と、
前記時計ケースの内側に配置され、前記平面アンテナと前記バーアンテナと前記平面アンテナによる衛星信号の受信制御を行う衛星信号受信用ＩＣと前記バーアンテナによる標準電波信号の受信制御を行う標準電波受信用ＩＣとが実装された第２回路基板と、を備える
ことを特徴とする電子時計。
【請求項５】
請求項１から請求項４のいずれか一項に記載の電子時計において、
前記時計ケースの内側に、且つ、前記平面アンテナおよび前記バーアンテナとは前記平面視において重ならない位置に配置される第１耐磁板および第２耐磁板を備える
ことを特徴とする電子時計。
【請求項６】
請求項１から請求項５のいずれか一項に記載の電子時計において、
前記平面アンテナは、パッチアンテナである
ことを特徴とする電子時計。
【発明の詳細な説明】
【技術分野】
【０００１】
本発明は、例えばＧＰＳ衛星などからの衛星信号およびアンテナ局からの標準電波信号のいずれかを受信して時刻情報を取得して時刻修正を行う電子時計に関する。
【背景技術】
【０００２】
従来、ＧＰＳ衛星からの衛星信号や、長波標準電波送信所からの標準電波信号を受信して時刻情報を取得し、時刻修正を行う電子時計が知られている（特許文献１参照）。
この電子時計では、ＧＰＳ用の高周波の電波を受信するパッチアンテナと、標準時刻用の長波の電波を受信するバーアンテナとの２つのアンテナを備える。また、大電力を必要とするＧＰＳ受信のために大きな釦電池（二次電池）を設ける必要がある。さらに、多機能表示のために、指針の他に、複数の副表示部も設けられており、これらを駆動するために複数のモーターも配置されている。
【先行技術文献】
【特許文献】
【０００３】
【特許文献１】特開２０１５−１７５８３９号公報
【発明の概要】
【発明が解決しようとする課題】
【０００４】
前記電子時計では、二次電池と、パッチアンテナとが、時計の厚さ方向に重なって設けられている。このため、二次電池およびパッチアンテナ、バーアンテナ等を有する時計のムーブメントの厚みが厚くなり、電子時計の薄型化が困難であるという課題があった。
【０００５】
本発明の目的は、衛星信号および標準電波信号を受信可能であり、かつ、薄型化できる電子時計を提供することにある。
【課題を解決するための手段】
【０００６】
本発明の電子時計は、衛星信号を受信する平面アンテナと、標準電波信号を受信するバーアンテナと、複数の指針を有する時刻表示部と、前記指針を駆動する複数のモーターと、電池と、時計ケースとを備える電子時計であって、前記平面アンテナと、前記バーアンテナと、前記電池とは、前記時計ケース内で互いに平面的に重ならない位置に配置され、前記複数のモーターは、前記平面アンテナおよび前記バーアンテナとは、前記時計ケース内で平面的に重ならない位置に配置され、前記複数のモーターのうち少なくとも一つのモーターは、前記時計ケース内で前記電池と平面的に重なる位置に配置されることを特徴とする。
【０００７】
本発明において、時計ケース内で、平面アンテナ、バーアンテナ、電池、モーターなどの各部品が互いに平面的に重ならないとは、電子時計の文字板表面に直交する方向から視認する平面視において、各部品が互いに重ならないことを意味する。
本発明によれば、衛星信号を受信する平面アンテナと、標準電波信号を受信するバーアンテナとの２種類のアンテナを設けたので、衛星信号および標準電波信号を受信可能である。このため、１種類のアンテナのみを備える電子時計に比べて、いずれか一方の信号を受信できる可能性が高まり、時刻情報を取得できる確率を向上できる。
また、時計ケース内に配置される部品において、厚さ寸法が比較的大きな部品である平面アンテナ、バーアンテナ、電池を、互いに平面的に重ならない位置に配置したので、電子時計を薄型化できる。さらに、複数のモーターを、平面アンテナおよびバーアンテナと平面的に重ならない位置に配置したので、さらに電子時計を薄型化できる。
その上、複数のモーターのうち、少なくとも一つのモーターを、電池と平面的に重なる位置（平面視で互いに重なる位置）に配置したので、すべてのモーターを電池と平面的に重ならないように配置する場合に比べて、時計ケースの平面サイズを小さくでき、電子時計を小型化できる。
さらに、モーターおよび電池は、平面アンテナおよびバーアンテナに比べると厚さ寸法を小さくできるため、モーターを電池と平面的に重ねた場合、モーターを各アンテナと重ねる場合に比べて、電子時計の厚さ寸法を小さくでき、電子時計を薄型化できる。
さらに、モーターを電池と平面的に重ねた場合、金属製の電池が耐磁板として機能し、モーターのコイルが外部磁界の影響を受けてモーターが誤動作することも防止できる。
【０００８】
本発明の電子時計は、衛星信号を受信する平面アンテナと、標準電波信号を受信するバーアンテナと、複数の指針軸および前記指針軸に取り付けられた指針を有する時刻表示部と、前記指針軸を駆動する複数のモーターと、電池と、時計ケースとを備える電子時計であって、前記平面アンテナと、前記バーアンテナと、前記電池とは、前記時計ケース内で互いに平面的に重ならない位置に配置され、前記複数の指針軸は、前記平面アンテナおよび前記バーアンテナとは、前記時計ケース内で平面的に重ならない位置に配置され、前記複数の指針軸のうち少なくとも一つの指針軸は、前記時計ケース内で前記電池と平面的に重なる位置に配置されることを特徴とする。
【０００９】
本発明によれば、衛星信号を受信する平面アンテナと、標準電波信号を受信するバーアンテナとの２種類のアンテナを設けたので、衛星信号および標準電波信号を受信可能である。このため、１種類のアンテナのみを備える電子時計に比べて、いずれか一方の信号を受信できる可能性が高まり、時刻情報を取得できる確率を向上できる。
また、時計ケース内に配置される部品において、厚さ寸法が比較的大きな部品である平面アンテナ、バーアンテナ、電池を、互いに平面的に重ならない位置に配置したので、電子時計を薄型化できる。さらに、指針軸を、平面アンテナおよびバーアンテナと平面的に重ならない位置に配置したので、さらに電子時計を薄型化できる。
その上、複数の指針軸のうち、少なくとも一つの指針軸を、電池と平面的に重なる位置に配置したので、指針軸に指針を押し込んで取り付ける場合に、指針軸に加わる力を指針軸に平面的に重なる電池で支持することも可能となる。したがって、樹脂部品などに比べて強度の高い金属製の電池で針押し込み時の押し込み力を支持でき、安定した針取り付け性を確保できる。
【００１０】
本発明の電子時計において、前記時計ケース内に設けられる太陽電池を備え、前記太陽電池の電極層と、前記平面アンテナとは、平面的に重ならず、前記太陽電池の電極層と、前記バーアンテナとは、平面的に重なることが好ましい。
【００１１】
太陽電池は、例えば、ベースとなる樹脂フィルム上に、アルミ等の裏面電極を介して、発電層としてのアモルファスシリコン半導体の薄膜を積層し、さらに、発電層の表面に透光性の透明電極（表面電極）を設けて構成される。ここで、衛星信号（ＧＰＳ信号）の周波数は１５７５．４２ＭＨｚと高い周波数であるため、太陽電池の透明電極のように薄い金属部分でも電波が減衰し、アンテナ特性が劣化する。一方、長波標準電波（４０〜７７．５ｋＨｚ）を受信するバーアンテナは、太陽電池の電極と重なっていても長波標準電波を受信できる。
したがって、太陽電池の電極層と平面アンテナとを平面的に重ねないことで、平面アンテナでのアンテナ特性の劣化を防止できる。また、太陽電池の電極層とバーアンテナとを平面的に重ねているので、太陽電池の面積を大きくでき、発電量を確保できる。
【００１２】
本発明の電子時計において、前記時計ケース内には、第１回路基板および第２回路基板が配置され、前記第１回路基板には、前記モーターの駆動を制御する制御用ＩＣと、前記電池を含む電源を制御する電源制御ＩＣとが実装され、前記第２回路基板には、前記平面アンテナと、前記バーアンテナと、前記平面アンテナによる衛星信号の受信制御を行う衛星信号受信用ＩＣと、前記バーアンテナによる標準電波信号の受信制御を行う標準電波受信用ＩＣとが実装されることが好ましい。
【００１３】
本発明によれば、第２回路基板に、各アンテナと、各アンテナの受信用のＩＣとをまとめて実装しているので、各アンテナから受信用ＩＣまでの信号経路を短くでき、アンテナで受信した信号にノイズが影響する可能性を低くできる。このため、各受信用ＩＣは、ノイズの影響が軽減された信号を処理でき、正しい時刻情報を取得できる可能性も向上できる。
また、第２回路基板とは異なる第１回路基板に、モーターの駆動制御用ＩＣや、電源制御用ＩＣを設けたので、第２回路基板と第１回路基板とを離して配置でき、モーターの駆動信号などが受信信号に影響することも防止できる。
【００１４】
本発明の電子時計において、前記時計ケース内には、第１耐磁板および第２耐磁板が配置され、前記第１耐磁板および前記第２耐磁板は、前記平面アンテナおよび前記バーアンテナとは平面的に重ならないことが好ましい。
【００１５】
本発明によれば、第１耐磁板および第２耐磁板の２枚の耐磁板を備えているので、モーターの時計表面側および時計裏面側にそれぞれ第１耐磁板および第２耐磁板を配置することができる。このため、モーターに時計表面側および時計裏面側から外部磁界が影響することを防止でき、モーターの誤動作を防止できる。
さらに、各耐磁板は、各アンテナと平面的に重なる部分が除かれているので、各アンテナで受信する電波が耐磁板によって妨げられることがなく、受信性能も確保できる。
【図面の簡単な説明】
【００１６】
【図１】本発明の実施形態に係る電子時計を示す概略図である。
【図２】前記電子時計の平面図である。
【図３】前記電子時計の概略断面図である。
【図４】前記電子時計の概略断面図である。
【図５】前記電子時計の要部を示す分解斜視図である。
【図６】前記電子時計の平面アンテナ、バーアンテナ、電池、ステップモーターの配置を示す概略平面図である。
【図７】前記電子時計の第１回路基板を示す斜視図である。
【図８】前記電子時計の第２回路基板を示す斜視図である。
【図９】前記電子時計の太陽電池パネルの積層構造を示す概略断面図である。
【図１０】前記電子時計の回路構成を示すブロック図である。
【図１１】標準電波信号の受信エリアを示す図である。
【図１２】ＪＪＹのタイムコードフォーマットを示す図である。
【図１３】ＧＰＳ衛星信号の航法メッセージの構成を説明する図である。
【図１４】ＧＰＳ衛星信号のＴＬＭワードの構成を説明する図である。
【図１５】ＧＰＳ衛星信号のＨＯＷワードの構成を説明する図である。
【図１６】前記電子時計の制御部の構成を示すブロック図である。
【図１７】前記実施形態の自動受信処理を示すフローチャートである。
【図１８】前記実施形態の測時受信処理を示すフローチャートである。
【図１９】前記実施形態の測位受信処理を示すフローチャートである。
【図２０】前記実施形態の標準電波受信処理を示すフローチャートである。
【図２１】本発明の変形例の平面アンテナ、バーアンテナ、電池、ステップモーターの配置を示す概略図である。
【発明を実施するための形態】
【００１７】
以下、本発明に係る実施形態を図面に基づいて説明する。なお、本実施形態では、電子時計１のカバーガラス３３側を表面側（上側）とし、裏蓋３４側を裏面側（下側）として説明する。
【００１８】
［電子時計の概要］
電子時計１は、図１に示すように、長波標準電波送信所Ｒからの標準電波信号と、地球の上空を所定の軌道で周回している複数のＧＰＳ衛星Ｓなどからの衛星信号との両方の信号を受信できるように構成されている。
電子時計１は、長波標準電波送信所Ｒからの標準電波信号を受信し、その送信所Ｒが設置されている国の時刻情報を取得するように構成されている。
また、電子時計１は、測時モードでの受信処理（測時受信処理）と、測位モードでの受信処理（測位受信処理）を実行するように構成されている。ここで、測時モードとは、少なくとも１機以上のＧＰＳ衛星Ｓから衛星信号を受信し、当該衛星信号に含まれる時刻情報に基づいて、電子時計１の内部時刻を修正するモードである。また、測位モードとは、３機以上（好ましくは４機以上）のＧＰＳ衛星Ｓから衛星信号を受信し、当該衛星信号に含まれる軌道情報および時刻情報を用いて電子時計１から各ＧＰＳ衛星Ｓまでの距離を算出して電子時計１の現在位置を求め、電子時計１の現在位置に基づいて電子時計１が指示する時刻のタイムゾーン情報を修正し、前記衛星信号から取得した時刻情報と前記タイムゾーン情報とから電子時計１の内部時刻を修正するモードである。
電子時計１は、標準電波信号から時刻情報を取得した場合には、内部で計時している内部時刻情報をその時刻情報で修正できる。また、衛星信号から時刻情報を取得した場合は、前記内部時刻情報を、前記時刻情報および前記タイムゾーン情報に基づいて修正できる。タイムゾーン情報は、前記衛星信号から算出した位置情報と、電子時計１に記憶した地図情報とに基づいて設定できる。また、ユーザーが電子時計１のボタン３６，３７やリューズ３８などを操作して、前記タイムゾーン情報を手動で選択して設定できるように構成してもよい。
【００１９】
［電子時計の構成］
次に、標準電波信号および衛星信号を受信可能な電子時計１の構成について説明する。図２は電子時計１の正面図であり、図３は電子時計１の６時−１２時方向に沿った概略断面図であり、図４は電子時計１の３時−９時方向に沿った概略断面図であり、図５は電子時計１の要部の分解斜視図であり、図６は電子時計１の要部の概略平面図である。
【００２０】
電子時計１は、図３，４にも示すように、時計ケースである外装ケース３０と、カバーガラス３３と、裏蓋３４とを備えている。外装ケース３０は、円筒状のケース３１に、ベゼル３２が嵌合されて構成されている。なお、外装ケースとしては、ケースおよび裏蓋が一体化されたワンピースケースでもよい。
外装ケース３０の側面には、Ａボタン３６と、Ｂボタン３７と、リューズ３８とが設けられている。
【００２１】
ケース３１の二つの開口のうち、表面側の開口は、ベゼル３２を介してカバーガラス３３で塞がれており、裏面側の開口は裏蓋３４で塞がれている。ベゼル３２の内周側には、プラスチックで形成されたリング状のダイヤルリング３５を介して、円盤状の文字板１１が配置されている。
ケース（胴）３１および裏蓋３４は、ＳＵＳ（ステンレス鋼）、チタン合金、アルミ、ＢＳ（真鍮）などの金属材料が利用される。ベゼル３２は、ケース３１と同じ金属材料で構成してもよいが、電波受信に影響しないセラミックで構成することが好ましい。
【００２２】
外装ケース３０内には、ＧＰＳ衛星信号を受信する衛星信号用アンテナとして、平面アンテナ（パッチアンテナ）４０が配置され、長波標準電波を受信する標準電波用アンテナとして、バーアンテナ１５０が配置されている。本実施形態では、電子時計１をカバーガラス３３側から見た平面視において、文字板１１の平面中心に対して１２時位置に平面アンテナ４０が配置され、９時位置にバーアンテナ１５０が配置されている。
【００２３】
［電子時計の内部構造］
次に、電子時計１の外装ケース３０に内蔵される内部構造について説明する。
図３〜５に示すように、外装ケース３０内には、光透過性の部材で構成された文字板１１やムーブメント２が収容される。
【００２４】
［文字板］
【００２５】
文字板１１は、非導電性を有し、かつ、少なくとも一部の光を透過させる透光性を有するポリカーボネートなどのプラスチック材料で形成され、図２に示すように、文字板１１の６時位置側に設けられた第１サブダイヤル１２と、文字板１１の１０時〜１１時側に設けられた第２サブダイヤル１３と、カレンダー車２０を視認するためのカレンダー小窓１５とを備える。
【００２６】
文字板１１の平面中心位置には、指針軸２７が配置される貫通孔１６が形成され、指針軸２７には、ローカルタイムを指示する指針（秒針）２１、指針（分針）２２、指針（時針）２３が取り付けられている。このため、指針軸２７は、各指針２１，２２，２３が取り付けられる３つの指針軸（回転軸）で構成されている。
【００２７】
第１サブダイヤル１２には、指針軸２８が配置される貫通孔１７が形成され、指針軸２８にはホームタイムを指示する指針（分針）２４、指針（時針）２５が取り付けられている。このため、指針軸２８は、各指針２４，２５が取り付けられる２つの指針軸（回転軸）で構成されている。
【００２８】
第２サブダイヤル１３には、指針軸２９が配置される貫通孔１８が形成され、指針軸２９には曜日や各種情報を指示する指針２６が取り付けられている。
第２サブダイヤル１３の右半分には、曜日を示す「Ｓ、Ｍ、Ｔ、Ｗ、Ｔ、Ｆ、Ｓ」の文字が表記されている。第２サブダイヤル１３の左半分の７時方向（指針２６の指針軸２９から見て７時方向）には、サマータイムが設定されていることを示す「ＤＳＴ」と、設定されていないことを示す「・」とが表記されている。さらに、第２サブダイヤル１３の左半分の９時位置から８時位置には電池残量を示す三日月鎌状の目盛が表記され、１０時位置には機内モードを示す飛行機のマークが表記され、１１時位置には、測時受信モードを実行中であることや、測時受信処理に成功した場合に指針２６が指示する「１」の文字と、測位受信モードを実行中であることや、測位受信処理に成功した場合に指針２６が指示する「４＋」の文字とが表記されている。
したがって、第２サブダイヤル１３および指針２６からなる情報表示部は、曜日表示と、時計の受信モードや電池残量等の情報とを切り替えて表示する。指針２６による曜日表示と、各種情報表示の切り替えは、Ａボタン３６、Ｂボタン３７を適宜操作することで行える。
【００２９】
［ダイヤルリング］
文字板１１の表面側には、非導電性部材である合成樹脂（例えばＡＢＳ樹脂）にて形成されたダイヤルリング３５が設けられる。ダイヤルリング３５は、文字板１１の周囲に沿って配置され、内周面が傾斜面（円錐面）とされ、この傾斜面には時字マークやワールドタイムの時差などの目盛が印刷されている。ダイヤルリング３５をプラスチックで成形すれば、受信性能も確保でき、かつ、複雑な形状も形成できて意匠性を向上できる。
【００３０】
ベゼル３２の表面には、協定世界時（ＵＴＣ）との時差を表す時差情報が数字で表記されている。なお、時差情報としては、数字と数字以外の記号とで表記されるものでもよい。さらに、タイムゾーンの代表都市名を表す都市情報を、時差情報に併記してもよい。都市情報は、例えば、「ＴＹＯ（東京）」のように、都市名を三文字のアルファベットで略したスリーレターコードで表記できる。
【００３１】
［ムーブメント］
ムーブメント２は、図３〜５に示すように、文字板１１側から裏蓋３４に向かって順次配置された太陽電池パネル８０、第１耐磁板９１、カレンダー車２０、地板１２５、駆動機構１４０（図５では図示略）、輪列受け１２７（図５では図示略）、第１回路基板７１０、第２耐磁板９２、スペーサー１２８（図５では図示略）、二次電池１３０、第２回路基板７２０、回路押え板７２５（図５では図示略）を備える。
第２回路基板７２０には、後述するように、平面アンテナ（パッチアンテナ）４０、バーアンテナ１５０が実装されている。
【００３２】
駆動機構１４０は、図６にも示すように、地板１２５に取り付けられたステップモーター１４１〜１４５と、地板１２５および輪列受け１２７間に軸支される歯車などの輪列（図示略）とを有する。
本実施形態の駆動機構１４０は、第１〜第５駆動機構を備える。第１駆動機構は、秒針２１を駆動する第１ステップモーター１４１および第１輪列（図示略）を備える。第２駆動機構は、分針２２および時針２３を駆動する第２ステップモーター１４２および第２輪列（図示略）を備える。第３駆動機構は、ホームタイム用の分針２４および時針２５を駆動する第３ステップモーター１４３および第３輪列（図示略）を備える。第４駆動機構は、指針２６を駆動する第４ステップモーター１４４および第４輪列（図示略）を備える。第５駆動機構は、カレンダー車２０を駆動する第５ステップモーター１４５および第５輪列（図示略）を備える。第５輪列は、図５に示すカレンダー車２０に噛み合ってカレンダー車２０を回転する歯車（日回し車）１４６を備えている。
【００３３】
［アンテナ、電池、ステップモーターの配置位置関係］
図６に示すように、平面視でムーブメント２の１２時位置には平面アンテナ４０が配置され、３時位置には巻真３８１やオシドリ３８２等の切換機構が配置されている。ムーブメント２の中心から６時位置までの領域には、リチウムイオン電池などの二次電池１３０が配置され、ムーブメント２の９時位置には、バーアンテナ１５０が配置されている。
したがって、図３、４，６に示すように、平面アンテナ４０、バーアンテナ１５０、二次電池１３０は、外装ケース３０内で互いに平面的に重ならない位置、すなわち、ムーブメント２の平面視で互いに重ならない位置に配置されている。
また、図６に示すように、各ステップモーター１４１〜１４５は、平面アンテナ４０、バーアンテナ１５０とは、外装ケース３０内で互いに平面的に重ならない位置、すなわち、ムーブメント２の平面視で互いに重ならない位置に配置されている。
【００３４】
［ステップモーターの配置位置］
さらに、各ステップモーター１４１〜１４５の少なくとも一部のステップモーター１４１，１４３，１４５は、モーターの全体または一部が、外装ケース３０内で二次電池１３０と平面的に重なる位置に配置されている。
第１ステップモーター１４１は、平面視でムーブメント２の中心位置に設けられる指針軸２７に対して略８時方向の位置に配置されている。本実施形態では、第１ステップモーター１４１は、第１サブダイヤル１２および第２サブダイヤル１３の間であり、さらに、二次電池１３０に平面的に重なる位置に配置されている。
第２ステップモーター１４２は、平面視で指針軸２７に対して略２時方向の位置に配置されている。本実施形態では、第２ステップモーター１４２は、平面アンテナ４０および二次電池１３０に重ならない位置に配置されている。
第３ステップモーター１４３は、平面視でムーブメント２の６時位置に配置され、二次電池１３０に平面的に重なる位置に配置されている。
第４ステップモーター１４４は、平面視でムーブメント２の略１１時位置に配置されている。本実施形態では、第４ステップモーター１４４は、平面アンテナ４０、バーアンテナ１５０間であり、各アンテナ４０、１５０に平面的に重ならない位置に配置されている。
第５ステップモーター１４５は、平面視でムーブメント２の５時位置に配置され、さらに、二次電池１３０に平面的に重なる位置に配置されている。
【００３５】
［指針軸の配置位置］
図３、４，６に示すように、文字板１１の中心に設けられる指針軸２７は、二次電池１３０の上側に配置され、外装ケース３０内で二次電池１３０と平面的に重なる位置に配置されている。
第１サブダイヤル１２の指針軸２８は、二次電池１３０の上側に配置され、二次電池１３０と平面的に重なる位置に配置されている。
第２サブダイヤル１３の指針軸２９は、外装ケース３０内で平面アンテナ４０、バーアンテナ１５０、二次電池１３０に囲まれる位置に配置され、これらの部品と平面的に重ならない位置に配置されている。
すなわち、指針軸２７〜２９は、平面アンテナ４０およびバーアンテナ１５０とは、平面視で重ならない位置に配置され、一部の指針軸２７，２８は、二次電池１３０とは、平面視で重なる位置に配置されている。
【００３６】
［回路基板］
電子時計１は、前述のとおり、時計駆動制御用の第１回路基板７１０と、標準電波・ＧＰＳ受信用の第２回路基板７２０との２枚の回路基板を備え得ている。なお、第１回路基板７１０および第２回路基板７２０は、図４に示すように、平面視で９時位置すなわちバーアンテナ１５０の近くの位置で、コネクター７３０を介して接続されている。
［第１回路基板］
第１回路基板７１０は、図７に示すように、平面略円形に形成され、かつ、配線などが電波受信に影響することを防止するため、平面アンテナ４０と平面的に重なる部分には略矩形の切欠部７１３が形成され、バーアンテナ１５０と平面的に重なる弓形の部分は直線状に切断されて直線状の切断部７１４とされている。
第１回路基板７１０の表面側には、電源制御ＩＣ７１１と、時計駆動制御用ＩＣであるＣＰＵ−ＩＣ７１２とが実装されている。
また、第１回路基板７１０には、ムーブメント２の薄型化のために、ステップモーター１４１〜１４５において厚みのあるモーターコイルが配置される穴７１５や溝７１６が形成されている。
さらに、第１回路基板７１０には、スイッチ接点ばね（図示略）が挿通される穴７１７も形成されている。スイッチ接点ばねは、リューズ３８を０段位置から１段位置や２段位置に引き出した際に、巻真３８１の回転に連動してその回転方向に往復移動し、穴７１７の内周面に形成された一対の電極の一方に当接するものである。これにより、リューズ３８による巻真３８１の回転方向および回転量を検出できる。
【００３７】
電源制御ＩＣ７１１は、後述するように、太陽電池パネル８０から二次電池１３０への充電制御を行い、過充電や過放電の発生を防止する充電制御回路７１と、太陽電池パネル８０や二次電池１３０の電圧もしくは電流を測定する電圧検出回路７４とを備えている。電圧検出回路７４は、太陽電池パネル８０に太陽光のような強い光が当たったことを検出することで、電子時計１が屋外に配置されていることを検出する機能も備えている。
【００３８】
［第２回路基板］
第２回路基板７２０は、図８に示すように、平面略円形に形成され、かつ、二次電池１３０が配置される略円形の切欠部７２１が形成されている。この切欠部７２１に二次電池１３０を配置することで、電子時計１を薄型化できる。
第２回路基板７２０の表面側には、平面アンテナ４０と、バーアンテナ１５０と、衛星信号受信用ＩＣであるＧＰＳ−ＩＣ５０１と、温度補償回路付き水晶発振回路（ＴＣＸＯ）５３０と、メモリー用ＩＣであるフラッシュメモリー５４０と、標準電波受信用ＩＣ４０１と、フィルター用水晶４１０と、第１レギュレーター７２、第２レギュレーター７３とが実装されている。
ＧＰＳ−ＩＣ５０１は、後述するように、ＲＦ部５１０およびベースバンド部５２０を内蔵する。そして、ＧＰＳ−ＩＣ５０１と、ＴＣＸＯ５３０と、フラッシュメモリー５４０とで、後述するＧＰＳ受信部５００が構成される。また、標準電波受信用ＩＣ４０１とフィルター用水晶４１０とで後述する標準電波受信回路部４００が構成される。
平面アンテナ４０は、ＧＰＳ−ＩＣ５０１に接続され、バーアンテナ１５０は、標準電波受信用ＩＣ４０１に接続されている。
フラッシュメモリー５４０には、ＧＰＳ受信用のファームウェアのプログラムや、測位受信処理において算出した位置情報からタイムゾーンを判別するためのタイムゾーンデータが記憶されている。
【００３９】
［平面アンテナ］
平面アンテナ４０は、ＧＰＳ衛星Ｓからの衛星信号を受信するものである。
平面アンテナ４０は、図３，５に示すように、平面視において、外装ケース３０（ケース３１およびベゼル３２）、太陽電池パネル８０、第１耐磁板９１、第１回路基板７１０、第２耐磁板９２とは重ならずに、非導電性部材にて形成されたカバーガラス３３、文字板１１、カレンダー車２０、地板１２５と重なっている。すなわち、電子時計１では、平面アンテナ４０の時計表面側において、平面視で平面アンテナ４０と重なる部品はすべて非導電性部材にて形成されている。
このため、時計表面側から伝播されてくる衛星信号は、カバーガラス３３を透過した後、外装ケース３０、太陽電池パネル８０、第１回路基板７１０、耐磁板９１、９２によって遮られることなく、文字板１１、カレンダー車２０、地板１２５を透過して平面アンテナ４０に入射する。なお、指針２１〜２３，２６は、運針時に平面アンテナ４０と重なる場合があるが、指針の面積が小さいことから、金属製であっても衛星信号の受信に支障ない。ただし、指針２１〜２３、２６を非導電性部材で構成すれば、衛星信号が遮断される影響をより回避できる点で好ましい。
【００４０】
ＧＰＳ衛星Ｓは、右旋円偏波で衛星信号を送信している。そのため、本実施形態の平面アンテナ４０は、円偏波特性に優れるパッチアンテナ（マイクロストリップアンテナともいう）で構成されている。
本実施形態の平面アンテナ４０は、図３，８に示すように、セラミックの誘電体基材４１に導電性のアンテナ電極部４２を積層したパッチアンテナである。
この平面アンテナ４０は、次のようにして製造できる。まず、比誘電率が６０〜１００程度のチタン酸バリウムを主原料にプレス機で目的の形に成形し、焼成を経てアンテナの誘電体基材４１となるセラミックスを完成する。誘電体基材４１の裏面（第２回路基板７２０側の面）には、主に銀（Ag）等のペースト材をスクリーン印刷すること等で、アンテナのグランド（ＧＮＤ）となるＧＮＤ電極（図示略）を構成する。
誘電体基材４１の表面（地板１２５、文字板１１側の面）には、アンテナの周波数、受信する信号の偏波を決めるアンテナ電極部４２をＧＮＤ電極と同様な方法で構成する。アンテナ電極部４２は、誘電体基材４１の表面よりも一回り小さく形成されており、誘電体基材４１の表面においてアンテナ電極部４２の周囲には、アンテナ電極部４２が積層されていない露出面が設けられる。
誘電体基材４１は、例えば、表面形状は略正方形状であり、一辺の寸法は約１１ｍｍである。アンテナ電極部４２は、例えば、表面形状は略正方形状であり、一辺の寸法は約８〜９ｍｍである。誘電体基材４１の四隅は、図８に示すように、割れ防止のためにコーナーカットしているが、コーナーカットしていないものを用いてもよい。
【００４１】
平面アンテナ４０は、第２回路基板７２０の表面に実装され、第２回路基板７２０に実装されたＧＰＳ−ＩＣ５０１に電気的に接続される。さらに、平面アンテナ４０のＧＮＤ電極を第２回路基板７２０のグランドパターンに導通させることで、第２回路基板７２０はグランド板（グランドプレーン）として機能する。
さらに、第２回路基板７２０のグランドパターンを、回路押え板７２５を介して金属製のケース３１や裏蓋３４に導通することで、ケース３１や裏蓋３４もグランドプレーンとして利用できる。本実施形態では、図３に示すように、第２回路基板７２０を押さえる回路押え板７２５に、裏蓋３４に導通するための裏蓋導通バネ７２５Ａを一体に形成しており、第２回路基板７２０のグランドパターンを、回路押え板７２５および裏蓋導通バネ７２５Ａを介して裏蓋３４およびケース３１に導通させることで、グランドプレーンとして利用している。裏蓋３４やケース３１をグランドプレーンとして利用することで、グランドプレーンの面積を大きくとることができ、アンテナ利得が向上してアンテナ特性を向上できる。
【００４２】
この平面アンテナ４０は、図３に示すように、第２回路基板７２０を地板１２５に固定することで、ムーブメント２に取り付けられる。平面アンテナ４０の誘電体基材４１は、セラミックで硬く欠けやすいため、地板１２５との間にはスポンジなどの緩衝材４７が介在されている。このため、誘電体基材４１が地板１２５に衝突して破損することを防止できる。
【００４３】
［バーアンテナ］
長波標準電波を受信するバーアンテナ１５０は、図４、８に示すように、アンテナコア１５１と、アンテナコア１５１に巻かれたコイル１５２とで構成されたバーアンテナである。
アンテナコア１５１は、例えば、磁性箔材としてのコバルト系のアモルファス金属箔を、複数枚積層して磁気特性を高めている。アンテナコア１５１の製造方法は、例えば、前記アモルファス金属箔を型で打ち抜くか、エッチングで形成し、電子時計１の厚さ方向に１０〜３０枚程接着して重ね合わせる。次に、断面形状が凹型（溝型）の樹脂製枠に、アンテナコア１５１を配置し、アンテナコア１５１の周囲にコイル１５２を巻いてバーアンテナ１５０を製造している。
アンテナコア１５１は、コイル１５２が巻かれるコイル巻部と、コイル巻部の長手方向の両端にそれぞれ延長されたリード部とを備えて構成されている。各リード部は、コイル巻部側の基端部から先端部に向かうにしたがって幅寸法が小さくなる先細りの形状とされている。
なお、アンテナコア１５１としては、積層アモルファス箔に限定されず、軟磁性金属薄帯等でもよい。また、アンテナコア１５１としては、性能は劣るが安価なフェライトを用いてもよく、この場合には、型等で成形し、熱処理して製造すればよい。
アンテナコア１５１のコイル巻部に巻回されるコイル１５２は、長波標準電波（４０〜７７．５ｋＨｚ）を受信する場合は、２０〜１００ｍＨ程度のインダクタンス値が必要となる。このため、本実施形態では、コイル１５２として直径約５０μｍ程度のウレメット線を数百から千数百ターンほど巻いて構成している。
【００４４】
このような構成のバーアンテナ１５０は、第２回路基板７２０において、平面視で文字板１１の９時位置に実装され、標準電波受信用ＩＣ４０１に電気的に接続されている。
【００４５】
［太陽電池パネル］
太陽電池パネル８０は、図９に示すように、表面側から順に、透光性を有する表面保護材８１、透明電極（ＴＣＯ：Transparent Conductive Oxide）８２、アモルファスシリコン半導体薄膜(a-si)８３、アルミ製の裏面電極８４、樹脂フィルム基材８５、裏面保護材８６が積層されて構成されている。
太陽電池パネル８０においては、上下の各電極８２、８４がショートしないように、各電極８２、８４の端面は表面保護材８１、樹脂フィルム基材８５で被覆されて保護されている。
【００４６】
太陽電池パネル８０は、図５に示すように、ムーブメント２の平面視において、平面アンテナ４０と重なる部分には切欠部８１０が形成され、バーアンテナ１５０と重なる部分には切欠部は形成されていない。このため、太陽電池パネル８０の各電極（電極層）８２、８４は、平面アンテナ４０とは平面的に重ならず、バーアンテナ１５０とは平面的に重なる。
すなわち、アモルファスシリコン半導体薄膜８３は厚さ寸法が薄く、各電極８２、８４の厚さ寸法も数μｍと薄いため、長波の標準電波は、フィルム状の太陽電池パネル８０を透過し、バーアンテナ１５０は、各電極８２、８４と平面的に重なっても、標準電波を受信できる。
一方、ＧＰＳ衛星信号の周波数は、約１．５ＧＨｚであり、高周波であるため、長波の標準電波と異なり、太陽電池パネル８０の薄い電極８２、８４でも電波は減衰し、アンテナ特性が低下する。このため、平面アンテナ４０が、各電極８２、８４と平面的に重なっていると、ＧＰＳ衛星信号を受信できない。
【００４７】
このため、図５に示すように、円板状に形成された太陽電池パネル８０は、平面アンテナ４０と平面視で重なる部分には切欠部８１０が形成されている。
太陽電池パネル８０には、文字板１１のカレンダー小窓１５と平面的に重なる開口部８２０や、指針軸２７〜２９が挿通される貫通孔８３１，８３２、８３３が形成されている。
さらに、太陽電池パネル８０は、複数のセルに分割され、各セルは直列に接続されている。本実施形態の太陽電池パネル８０は、図５に示すように、４個のソーラーセルを有し、各ソーラーセルが直列に接続されている。そして、太陽電池パネル８０の正極および負極は、コイルバネなどで構成されて地板１２５の貫通孔に配置された一対の導通部材８８によって、第１回路基板７１０の正極用および負極用の電源端子に導通されている。そして、太陽電池パネル８０で発電された電力の二次電池１３０への充電などは、電源制御ＩＣ７１１の充電制御回路７１によって制御される。
【００４８】
なお、文字板１１は、透光性を有するため、時計の表面側から見て、文字板１１の裏面側に配置された太陽電池パネル８０が透けて見える。このため、太陽電池パネル８０が配置されている領域と配置されていない領域とで、文字板１１の色が違って見える。この色の違いが目立たないように、文字板１１にはデザイン的なアクセントをつけてもよい。
さらに、太陽電池パネル８０に切欠部８１０を形成したことで、切欠部８１０に重なる部分の文字板１１の色調が他の部分と違って見えることがある。それを防止するために太陽電池パネル８０と同色（例えば紺色や紫色）のプラスチックシートを太陽電池パネル８０の下に重ねてもよいし、太陽電池パネル８０全体を切り欠かずに、電波遮蔽する電極層を平面アンテナ４０と平面的に重なる部分のみ取り除いて、基材となる樹脂フィルム層を残して色調を合わせてもよい。
【００４９】
［耐磁板］
近年、スマートフォンなどの携帯端末用のケースに、高性能な磁石が多く使われるようになり、腕時計にも耐磁性が求められている。このため、外部磁界を迂回させて、ステップモーター１４１〜１４５の誤動作を防止するために、図３〜５に示すように、純鉄などの高透磁率材からなる第１耐磁板９１および第２耐磁板９２が、平面的にステップモーター１４１〜１４５と重なる位置に配置されている。なお、各ステップモーター１４１〜１４５は、コアに巻回されたコイルと、ステーターと、ローターとを備える。これらのうち、コイル部分は外部磁界の影響を受けにくいので、耐磁板９１、９２とは必ずしも平面的に重ならなくてもよい。従って、耐磁板９１、９２は、ステップモーター１４１〜１４５の少なくとも一部に平面的に重なり、特に、ステーターやローターと平面的に重なることが好ましい。
【００５０】
第１耐磁板９１は、図３〜５に示すように、地板１２５およびカレンダー車２０の時計表面側（カバーガラス３３側）に配置されている。この第１耐磁板９１は、ステップモーター１４１〜１４５の表面（文字板１１側の面）をほぼ覆うように配置される。
第１耐磁板９１には、図５に示すように、文字板１１のカレンダー小窓１５と平面的に重なる切欠部９１１や、指針軸２７〜２９が配置される貫通孔９１２、９１３、９１４が形成されている。
第１耐磁板９１において、前記平面アンテナ４０と平面視で重なる領域は切り欠かれて切欠部９１５とされ、前記バーアンテナ１５０と平面視で重なる領域も切断されて切断部９１６とされている。
【００５１】
第２耐磁板９２は、図３〜５に示すように、地板１２５の時計裏面側（裏蓋３４側）であり、第２回路基板７２０や二次電池１３０よりも時計表面側に配置されている。具体的には、地板１２５の時計裏面側には、各輪列の軸受を有する輪列受け１２７が配置され、この輪列受け１２７の時計裏面側に第２耐磁板９２が配置されている。これにより、第２耐磁板９２は、ステップモーター１４１〜１４５の裏面（裏蓋３４側の面）をほぼ覆うように配置される。
第２耐磁板９２においても、前記平面アンテナ４０と平面視で重なる領域は切り欠かれて切欠部９２５とされ、バーアンテナ１５０と平面視で重なる領域は切断されて切断部９２６とされている。
したがって、第１耐磁板９１および第２耐磁板９２は、平面アンテナ４０およびバーアンテナ１５０とは、平面的に重ならないように構成されている。
【００５２】
［カレンダー車］
地板１２５には、リング状に形成され、表面に日付が表示されたカレンダー車２０が配置される。カレンダー車２０は、プラスチック等の非導電性部材により形成されている。ここで、カレンダー車２０は、平面視において、平面アンテナ４０やバーアンテナ１５０の少なくとも一部と重なっている。なお、カレンダー車としては、日車に限らず、曜日を表示する曜車や、月を表示する月車などでもよい。
【００５３】
［二次電池］
二次電池１３０は、図３〜６に示すように、平面円形に形成されたリチウムイオン電池である。二次電池１３０は、駆動機構１４０、標準電波受信回路部４００、ＧＰＳ受信部５００等に電力を供給する。二次電池は、第２回路基板７２０の切欠部７２１に設けられ、前述のとおり、平面視において、平面アンテナ４０、バーアンテナ１５０と重ならない位置に配置されている。一方、二次電池１３０は、ステップモーター１４１，１４３，１４５や輪列の一部とは平面的に重なって配置される。
本実施形態の二次電池１３０は、特に衛星信号の受信時には、10mA以上の電流を流す必要があるため、数十mAhの容量の電池が必要となる。このため、本実施形態では、二次電池１３０として、直径20mm程度（本実施形態では文字板１１の半径よりも大きい寸法）のコイン型のリチウムイオン電池を用いている。
このため、二次電池１３０の厚さ寸法（時計厚さ方向の寸法）は、二次電池１３０の直径（裏蓋３４に沿った方向の寸法）に比べて小さい、扁平な形状とされており、さらに第２回路基板７２０の切欠部７２１に配置されている。したがって、二次電池１３０がステップモーター１４１，１４３，１４５や輪列の一部と平面的に重なって配置されていても、電子時計１を薄型化できる。
【００５４】
［電子時計の回路構成］
図１０は、電子時計１の回路構成を示す概略図である。
電子時計１は、主に、長波標準電波信号を受信して時刻情報を取得する標準電波受信部４と、衛星信号を受信して時刻情報を取得する衛星信号受信部５と、制御表示部６と、電源供給部７とを含んで構成されている。
【００５５】
ここで、長波標準電波信号は、図１１に示すように、世界において特定のエリアのみで受信できる。すなわち、ＪＪＹ４０およびＪＪＹ６０は日本を中心とするエリアで受信でき、ＢＰＣは中国を中心とするエリア、ＷＷＶＢはアメリカを中心とするエリア、ＭＳＦはイギリスを中心とするエリア、ＤＣＦ７７はドイツを中心とするエリアで受信できる。
一方、ＧＰＳ衛星信号は、長波標準電波の受信エリアに比べて受信可能エリアが圧倒的に広く、地球上のどこでも受信可能である。
この長波標準電波を受信可能な受信エリアに関する情報は、後述する記憶部６８に記憶されている。
【００５６】
［長波標準電波信号のタイムコードフォーマット］
長波標準電波信号の時刻情報（タイムコード）は、各国毎に所定の時刻情報フォーマット（タイムコードフォーマット）に合わせて構成されている。
例えば、図１２に示す日本の標準電波ＪＪＹのタイムコードフォーマットでは、１秒ごとに１つの信号が送信され、６０秒で１レコード（１フレーム）として構成されている。つまり、１フレームが６０ビットのデータである。また、データ項目として現時刻の分、時、現在年の１月１日からの通算日、年（西暦下２桁）、曜日および「うるう秒」等が含まれている。各項目の値は、各秒毎（各ビット毎）に割り当てられた数値の組み合わせによって構成され、この組み合わせが信号の種類から判断される。また、通算日のビット列と年のビット列の間には、時に対応するパリティビットＰＡ１と、分に対応するパリティビットＰＡ２が設定されている。なお、図１２中「Ｍ」で示されるのは正分（毎分０秒）に対応するマーカーであり、「Ｐ１〜Ｐ５」で示されるのはポジションマーカーであり、予めその位置が定められている信号である。
各項目において「１」を表す信号は約０．５秒のパルス幅の信号であり、「０」を表す信号は約０．８秒のパルス幅の信号であり、各マーカーを示す信号Ｐは、約０．２秒のパルス幅の信号である。
標準電波信号のタイムコードフォーマットや、各信号のパルス幅（デューティー）は、長波標準電波信号の種類に応じて設定されている。
【００５７】
［衛星信号の航法メッセージ］
図１３〜図１５は、航法メッセージの構成について説明するための図である。
図１３に示すように、航法メッセージは、全ビット数１５００ビットのメインフレームを１単位とするデータとして構成される。メインフレームは、それぞれ３００ビットの５つのサブフレーム１〜５に分割されている。１つのサブフレームのデータは、各ＧＰＳ衛星から６秒で送信される。従って、１つのメインフレームのデータは、各ＧＰＳ衛星から３０秒で送信される。
【００５８】
サブフレーム１には、週番号データや衛星健康状態を含む衛星補正データが含まれている。週番号データは、現在のＧＰＳ時刻情報が含まれる週を表す情報である。ＧＰＳ時刻情報の起点は、ＵＴＣ（協定世界時）における１９８０年１月６日００：００：００であり、この日に始まる週は週番号０となっている。週番号データは、１週間単位で更新される。衛星健康状態は、その衛星に異常があるか否かを示すコードであり、このコードを確認することで、異常がある衛星の信号を利用することがないように制御できる。
【００５９】
５組のサブフレームのうち、サブフレーム１〜３は各衛星に固有の情報を含んでいるため、毎回同じ内容が繰り返し送信され、具体的には、送信している衛星自身のクロック補正情報や軌道情報（エフェメリス）が含まれている。これに対し、サブフレーム４および５は、全衛星の軌道情報（アルマナック）や電離層補正情報が含まれ、これらはデータ数が多いためにページ１〜２５のページ単位に分割されてサブフレームに収容される。すべてのページの内容を送信するには２５フレームを必要とするため、航法メッセージの全情報を受信するには１２分３０秒の時間を要する。
【００６０】
さらに、サブフレーム１〜５には、先頭から、３０ビットのＴＬＭ（Telemetry word）データが格納されたＴＬＭ（Telemetry）ワードと３０ビットのＨＯＷ（hand over word）データが格納されたＨＯＷワードが含まれている。
従って、ＴＬＭワードやＨＯＷワードは、ＧＰＳ衛星から６秒間隔で送信されるのに対し、週番号データ等の衛星補正データ、エフェメリスパラメータ、アルマナックパラメータは３０秒間隔で送信される。
【００６１】
図１４に示すように、ＴＬＭワードには、プリアンブルデータ、ＴＬＭメッセージ、Reservedビット、パリティデータが含まれている。
図１５に示すように、ＨＯＷワードには、ＴＯＷ（Time of Week、「Ｚカウント」ともいう）というＧＰＳ時刻情報が含まれている。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。例えば、サブフレーム１のＺカウントデータは、サブフレーム２の先頭ビットが送信されるＧＰＳ時刻情報を示す。また、ＨＯＷワードには、サブフレームのＩＤを示す３ビットのデータ（ＩＤコード）も含まれている。すなわち、図１３に示すサブフレーム１〜５のＨＯＷワードには、それぞれ「００１」、「０１０」、「０１１」、「１００」「１０１」のＩＤコードが含まれている。
【００６２】
［標準電波受信部］
標準電波受信部４は、図１０に示すように、バーアンテナ１５０と、標準電波受信回路部４００とを備えている。バーアンテナ１５０は、長波標準電波（以下、「標準電波」または「標準電波信号」と称す）を受信し、受信した標準電波を標準電波受信回路部４００に出力する。標準電波受信回路部４００は、バーアンテナ１５０にて受信した標準電波の受信信号を復調して、ＴＣＯ（Time Code Out：タイムコード出力）信号として、制御表示部６の制御部６１に出力する。
【００６３】
標準電波受信回路部４００は、標準電波受信用ＩＣ４０１と、フィルター用水晶４１０とを備えている。標準電波受信用ＩＣ４０１は、同調回路４１１と、増幅回路４１２と、ミキサー回路４１３と、フィルター用水晶４１０を用いたＩＦ（Intermediate Frequency）増幅回路４１４と、包絡線検波回路４１５と、自動利得制御回路としてのＡＧＣ（AutoGain Control）回路４１６と、二値化回路４１７と、ＰＬＬ（phase locked loop）回路４１８と、ＶＣＯ（Voltage Controlled Oscillator）４１９とを備えて構成されている。この標準電波受信回路部４００は、標準電波を受信する一般的な回路である。
【００６４】
同調回路４１１は、コンデンサーを備えて構成され、同調回路４１１とバーアンテナ１５０とにより並列共振回路が構成される。この同調回路４１１により、「ＪＪＹ（ＪＪＹ４０とＪＪＹ６０）」、「ＷＷＶＢ」、「ＤＣＦ７７」、「ＭＳＦ」、「ＢＰＣ」の各標準電波を選択して受信可能に構成されている。
なお、後述するように、衛星信号受信部５によって電子時計１の位置情報（緯度、経度）が得られている場合には、制御部６１は、前記位置情報に基づく受信局の選択信号を標準電波受信回路部４００に出力する。標準電波受信回路部４００の同調回路４１１は、前記制御信号によって受信局を自動的に選択する。
また、衛星信号受信部５によって電子時計１の位置情報が得られていない場合には、ユーザーがリューズ３８等の操作部材を操作してタイムゾーン（時差）を選択することで、対応する受信局を選択できる。
【００６５】
増幅回路４１２は、ＡＧＣ回路４１６から入力する信号（ＡＧＣ電圧）に応じてゲインを調整し、同調回路４１１から入力する受信信号を一定の振幅に増幅してミキサー回路４１３に入力する。
ミキサー回路４１３は、前記受信信号をＶＣＯ４１９の信号とミキシングし、ＩＦ（Intermediate Frequency：中間周波数）にダウンコンバートする。
ＩＦ増幅回路４１４は、ミキサー回路４１３から入力する受信信号をさらに増幅し、包絡線検波回路４１５に出力する。
包絡線検波回路４１５は、図示しない整流器と、図示しないローパスフィルター（ＬＰＦ：Low-Pass Filter）とを備え、入力した受信信号を整流およびろ波し、ろ波して得られた包絡線信号を、ＡＧＣ回路４１６および二値化回路４１７に出力する。
ＡＧＣ回路４１６は、包絡線検波回路４１５から入力した包絡線信号に基づいて、増幅回路４１２にて受信信号を増幅する際のゲインを決定する信号を出力する。
二値化回路４１７は、包絡線検波回路４１５から入力した包絡線信号と、基準電圧（閾値）とを比較して二値化信号、すなわち、ＴＣＯ信号を出力する。
【００６６】
［衛星信号受信部］
衛星信号受信部５は、平面アンテナ４０と、フィルター（ＳＡＷ）１１１と、ＧＰＳ受信部（受信モジュール）５００とを含んで構成されている。
フィルター１１１は、バンドパスフィルターであり、１．５ＧＨｚの衛星信号を通過させるものとなっている。また、平面アンテナ４０とフィルター１１１との間に、受信感度を良好にするＬＮＡ（ローノイズアンプ）を別途組み込む構成としてもよい。なお、フィルター１１１がＧＰＳ受信部５００内に組み込まれる構成としてもよい。
【００６７】
ＧＰＳ受信部５００は、フィルター１１１を通過した衛星信号を処理するものであり、衛星信号受信用ＩＣであるＧＰＳ−ＩＣ５０１と、温度補償回路付き水晶発振回路（ＴＣＸＯ）５３０と、フラッシュメモリー５４０とを備えている。
ＧＰＳ−ＩＣ５０１は、ＲＦ部（Radio Frequency：無線周波数）５１０とベースバンド部５２０を備える。
ＲＦ部５１０は、ＰＬＬ回路５１１、ＶＣＯ（Voltage Controlled Oscillator）５１２、ＬＮＡ（Low Noise Amplifier）５１３、ミキサー５１４、ＩＦアンプ５１５、ＩＦフィルター５１６、ＡＤＣ（Ａ／Ｄ変換器）５１７等を備えている。
【００６８】
フィルター１１１を通過した衛星信号は、ＬＮＡ５１３で増幅された後、ミキサー５１４でＶＣＯ５１２の信号とミキシングされ、ＩＦ（Intermediate Frequency：中間周波数）にダウンコンバートされる。
ミキサー５１４でミキシングされたＩＦは、ＩＦアンプ５１５、ＩＦフィルター５１６を通り、ＡＤＣ（Ａ／Ｄ変換器）５１７でデジタル信号に変換される。
【００６９】
ベースバンド部５２０は、ＤＳＰ（Digital Signal Processor）５２１、ＣＰＵ（Central Processing Unit）５２２、ＲＴＣ（リアルタイムクロック）５２３、ＳＲＡＭ（Static Random Access Memory）５２４を備えている。また、ベースバンド部５２０には、温度補償回路付き水晶発振回路（ＴＣＸＯ）５３０やフラッシュメモリー５４０等も接続されている。
そして、ベースバンド部５２０は、ＲＦ部５１０のＡＤＣ５１７からデジタル信号が入力され、相関処理や測位演算等を行うことにより、衛星時刻情報や測位情報を取得できるようになっている。
なお、ＰＬＬ回路５１１用のクロック信号は、ＴＣＸＯ５３０から生成されるようになっている。
【００７０】
フラッシュメモリー５４０には、測位情報（緯度データおよび経度データ）と時差データ（タイムゾーンデータ）とを関連づけた時差データベースが記憶されている。したがって、衛星信号の受信よって測位情報を算出できれば、その緯度・経度データと、時差データベースとから受信した地点の時差（タイムゾーン）を検出して設定できる。なお、フラッシュメモリー５４０の代わりにＥＥＰＲＯＭ（Electrically Erasable Programmable Read-Only Memory）を用いてもよい。
また、本実施形態では、時差データベースをＧＰＳ受信部５００のフラッシュメモリー５４０に記憶していたが、制御表示部６の制御部６１内にＥＥＰＲＯＭやフラッシュメモリーなどの不揮発性メモリーを設け、この不揮発性メモリーに時差データベースを記憶してもよい。
【００７１】
［制御表示部］
制御表示部６は、制御部（ＣＰＵ）６１と、指針２１〜２６等の駆動を実施する駆動回路６２と、水晶振動子６３と、時刻表示部および情報表示部等とを備えている。
制御部６１は、ＲＴＣ６６、ＲＯＭ６７、記憶部６８を含んで構成されている。ＲＴＣ６６は、水晶振動子６３から出力される基準信号を用いて、内部時刻情報を計時している。ＲＯＭ６７は、制御部６１で実行される各種プログラムが記憶されている。
記憶部６８は、ＧＰＳ受信部５００から出力される衛星時刻情報や測位情報と、標準電波受信回路部４００から出力されるＴＣＯ（標準電波の時刻情報）とを記憶する。
【００７２】
制御部６１は、標準電波受信部４および衛星信号受信部５に制御信号を出力することで、標準電波受信部４および衛星信号受信部５を切り換えて起動させる。ＧＰＳ衛星信号は、長波標準電波に比べて、周波数は約１．５ＧＨｚと高く、受信信号の強度は１／１００程度と微弱である。このため、衛星信号受信部５によるＧＰＳ衛星信号の受信処理は、標準電波受信部４による標準電波の受信処理に比べて約５００倍もの電力を必要とする。
このため、制御部６１は、標準電波受信部４および衛星信号受信部５を同時に作動することはせず、切り換えて起動する。
本実施形態の電子時計１は、上述のような標準電波受信部４、衛星信号受信部５および制御表示部６を備えていることで、長波標準電波送信所Ｒから受信した標準電波信号に基づいて時刻情報を自動的に修正でき、ＧＰＳ衛星Ｓから受信した衛星信号に基づいて時刻表示を自動的に修正することができる。
【００７３】
［電源供給部］
電源供給部７は、太陽電池パネル８０、充電制御回路７１、二次電池１３０、第１レギュレーター７２、第２レギュレーター７３、電圧検出回路７４を含んで構成されている。
【００７４】
太陽電池パネル８０は、光が入射して発電すると、その光発電により得られる電力を、充電制御回路７１を通じて二次電池１３０に供給して二次電池１３０を充電する。
二次電池１３０は、第１レギュレーター７２を介して制御表示部６および標準電波受信回路部４００に駆動電力を供給し、第２レギュレーター７３を介してＧＰＳ受信部５００に駆動電力を供給する。したがって、二次電池１３０によって駆動電力を供給する電源手段が構成されている。
【００７５】
電圧検出回路７４は、二次電池１３０の電圧をモニターし、制御部６１に出力する。したがって、電圧検出回路７４によって、電源手段である二次電池１３０の電池残量を検出する電池残量検出部が構成されている。制御部６１は、電圧検出回路７４で検出された電池電圧が入力されるため、二次電池１３０の電圧を把握して受信処理を制御できる。
また、充電制御回路７１は、制御部６１からの制御により、太陽電池パネル８０と二次電池１３０とを切断した状態で、太陽電池パネル８０の電圧を電圧検出回路７４で検出するように制御できる。この場合、電圧検出回路７４は、二次電池１３０の電圧に影響されることなく、太陽電池パネル８０の発電電圧（発電量）を検出できる。したがって、電圧検出回路７４は、太陽電池パネル８０の発電量を検出する発電量検出部を構成し、この発電量は制御部６１に入力される。このため、制御部６１は、太陽電池パネル８０の発電量に基づいて、電子時計１が屋外に配置されているか否かを判定できる。
【００７６】
［制御部の構成］
次に、図１６に基づいて、制御部６１の構成について説明する。図１６は、主に制御部６１において実行されるプログラムで実現される機能ブロックである。
制御部６１は、時刻情報修正部６１０と、表示制御部６２０と、電圧検出制御部６３０と、受信制御部６４０とを備える。
時刻情報修正部６１０は、標準電波受信部４または衛星信号受信部５で受信した時刻情報を利用して内部時刻情報を修正する。
【００７７】
表示制御部６２０は、通常モードにおいては、内部時刻情報に基づいて駆動回路６２を制御し、指針２１〜２３でローカルタイムの時刻（時、分、秒）を表示し、指針２４，２５でホームタイムの時刻（時、分）を表示する。また、表示制御部６２０は、内部時刻情報に基づいて駆動回路６２を制御し、指針２６で曜日（日〜土）を表示する。また、表示制御部６２０は、指針２６の表示を受信制御状態等に応じて制御する。
電圧検出制御部６３０は、電圧検出回路７４を作動して二次電池１３０の電圧つまり電池残量や、太陽電池パネル８０の発電量を検出する。電圧検出制御部６３０は、一定時間間隔で電圧検出回路７４を作動して電圧を検出する。電圧検出制御部６３０は、充電制御回路７１の動作も制御する。
【００７８】
［受信制御部］
受信制御部６４０は、受信モード選択部６４１と、衛星信号受信制御部６４２と、標準電波受信制御部６４５と、受信判定部６４６とを備える。衛星信号受信制御部６４２は、測時受信制御部６４３と、測位受信制御部６４４とを備える。
【００７９】
受信モード選択部６４１は、Ａボタン３６による受信操作や、予め設定された自動受信条件に該当したことを判定して、衛星信号の受信モード（測時モードと、測位モード）と、標準電波の受信モードとを選択する。受信モード選択部６４１は、Ａボタン３６が第１所定時間（例えば３秒以上、６秒未満）押された場合に、測時モードを選択し、Ａボタン３６が第２所定時間（例えば６秒以上）押された場合に、測位モードを選択する。また、受信モード選択部６４１は、電圧検出回路７４によって、電子時計１が屋外に配置されていることが検出されて自動受信条件に該当した場合は、通常は測時モードを選択し、電子時計１の受信オフモードを解除した後の１回のみ測位モードを選択する。
衛星信号受信制御部６４２は、受信モード選択部６４１で衛星信号の受信モードが選択された場合に作動される。
【００８０】
測時モードが選択された場合には、衛星信号受信制御部６４２は測時受信制御部６４３を作動し、測時受信制御部６４３は、衛星信号受信部５を制御して測時受信処理を行う。
また、測位モードが選択された場合には、衛星信号受信制御部６４２は測位受信制御部６４４を作動し、測位受信制御部６４４は、衛星信号受信部５を制御して測位受信処理を行う。
【００８１】
標準電波受信制御部６４５は、受信モード選択部６４１で標準電波の受信モードが選択された場合に作動される。標準電波受信制御部６４５は、標準電波受信部４を制御して標準電波受信処理を行う。
【００８２】
受信判定部６４６は、測時受信制御部６４３による測時受信処理、測位受信制御部６４４による測位受信処理、標準電波受信制御部６４５による標準電波受信処理が成功したか否かを判定する。
例えば、測時受信処理時には、受信判定部６４６は、受信した衛星信号から取得した時刻情報（Ｚカウント）と、ＲＴＣ６６の時刻データとを比較する。これらの差が大きい場合は、誤修正防止のために次のサブフレームのＺカウントを取得して両者のＺカウントを比較したり、捕捉した衛星が複数あれば、複数の衛星から取得した各Ｚカウントを比較したりして、取得した時刻データの整合が取れたかを判定する。時刻情報修正部６１０は、受信判定部６４６で整合が取れたと判定された場合に、時刻修正を行う。
【００８３】
［自動受信処理手順］
次に、本実施形態において、予め設定された自動受信条件に該当する場合に受信処理を行う自動受信処理について、図１７〜図２０に基づいて説明する。
制御部６１は、電子時計１が自動受信処理を禁止するモード（機内モード）に設定されていない場合に、図１７に示す処理を実行する。図１７の自動受信処理は、予め設定された時刻、例えば、標準電波の受信に影響するノイズが少ない午前２時などに実行される。
【００８４】
なお、電圧検出回路７４は、電圧検出制御部６３０の制御によって一定間隔、例えば６０秒間隔で作動される。電圧検出回路７４が６０秒間隔で二次電池１３０の電池電圧を検出するため、制御部６１は、常時、二次電池１３０の電池残量（蓄電量）の状態を把握している。
また、電圧検出制御部６３０は、二次電池１３０の電池電圧として、ＧＰＳ衛星信号の受信処理に比べて消費電流が小さい標準電波受信処理を行っても制御部６１がシステムダウンする可能性がある電圧を所定値１とする。また、電圧検出制御部６３０は、標準電波の受信処理に比べて消費電流が大きいＧＰＳ衛星信号の受信処理を行っても制御部６１がシステムダウンしない電圧を所定値２に設定する。なお、所定値２は、通常、測位受信処理を行っても制御部６１がシステムダウンしない電圧に設定すればよく、所定値１よりも大きい電圧値である。例えば、前記所定値１は３．４Ｖであり、所定値２は３．６Ｖであり、これらの値は、二次電池１３０の放電特性に基づいて設定すればよい。
なお、本実施形態では、二次電池１３０の電池電圧を検出することで、二次電池１３０の電池残量を検出していたが、例えば、二次電池１３０に対する充放電電流の検出手段も追加して、充放電電流量と電池電圧との組合せで判断すればより電池残量の検出精度が高まる。
【００８５】
制御部６１は、電池残量検出部である電圧検出回路７４によって二次電池１３０の電池電圧を６０秒毎に検出し、予め設定された所定値１以上であるかを判定する（Ｓ１）。
制御部６１は、電池電圧が所定値１未満であり、Ｓ１で「ＮＯ」と判定すると、駆動回路６２によって変則運針を開始し（Ｓ２）、受信禁止状態に維持する（Ｓ３）。変則運針とは、電池電圧低下表示（Battery Low Display）や、電池寿命切れ予告表示（battery life indicator）などと呼ばれるＢＬＤ運針であり、例えば、指針２１を２秒ごとに２秒分運針させて、通常の運針と異なる動作をさせるものである。これにより、ユーザーは、二次電池１３０の電圧が低下したことを確認でき、太陽電池パネル８０に光を当てて充電することができる。
変則運針中は、制御部６１は、定期的に、例えば１秒ごとに、電圧検出回路７４による電池電圧をチェックしてＳ１の処理を実行する。そして、制御部６１は、Ｓ１でＹＥＳと判定するまで、Ｓ２の変則運針およびＳ３の受信禁止状態を継続する。
【００８６】
制御部６１は、電池電圧が所定値１以上であり、Ｓ１で「ＹＥＳ」と判定すると、直前（例えば２４時間以内）の定時受信処理において標準電波の受信に成功して標準電波受信データが存在するか、あるいは受信に失敗してデータが存在しないかを判定する（Ｓ４）。すなわち、制御部６１は、標準電波受信データが存在していても、その受信データが２４時間以上前に取得された場合は、Ｓ４で「ＮＯ」と判定し、２４時間以内に受信したデータが存在している場合に「ＹＥＳ」と判定する。
【００８７】
制御部６１は、Ｓ４で「ＹＥＳ」と判定した場合は、ＧＰＳ衛星信号を受信する必要が無いため、Ｓ１の処理に戻る。これにより、後述するように、午前２時等の標準電波定時受信時刻で標準電波を受信して時刻情報の取得に成功している場合は、翌日の標準電波定時受信時刻まではＧＰＳ衛星信号の受信処理は行われない。したがって、毎日の標準電波定時受信時刻に標準電波を受信して時刻情報の取得に成功している場合は、ＧＰＳ衛星信号の受信処理は実行されず、標準電波の受信処理を優先して実行することになる。
一方、標準電波定時受信時刻において、標準電波の受信処理が行われていない場合や、受信処理が行われたが標準電波を受信できない場合、あるいは受信したが時刻情報の取得に失敗した場合、すなわち標準電波信号の受信による時刻情報の取得に失敗し、標準電波受信データが存在しない場合は、制御部６１はＳ４で「ＮＯ」と判定し、Ｓ５の処理に進む。
【００８８】
制御部６１は、Ｓ４で「ＮＯ」と判定すると、制御部６１で計時している内部時刻（現在時刻）が、予め設定された標準電波定時受信時刻であるかを判定する（Ｓ５）。標準電波定時受信時刻は、ノイズが少ない時間帯である午前２時などに設定されている。また、標準電波定時受信時刻は、午前２時、午前３時、午前４時のように、複数の時刻を設定してもよい。この場合、午前２時で受信処理に失敗した場合には、午前３時でも受信処理を行い、午前３時も受信処理に失敗した場合には、午前４時に受信処理を行うようにすればよい。
【００８９】
制御部６１は、内部時刻が標準電波定時受信時刻になった場合に、Ｓ５で「ＹＥＳ」と判定する。この場合、制御部６１は、駆動回路６２により各指針２１〜２６の運針を停止する（Ｓ６）。この際、指針２６等で標準電波の受信中であることを表示してもよい。
次に、制御部６１は、標準電波の受信処理を開始する（Ｓ５０）。この標準電波の受信処理は後述する。
【００９０】
制御部６１は、定時受信時刻に該当しない場合（Ｓ５で「ＮＯ」と判定した場合）には、電圧検出回路７４で検出した電池電圧が所定値２以上であるか否かを判定する（Ｓ７）。
制御部６１は、Ｓ７で「ＹＥＳ」と判定すると、屋外検出があるか否かを判定する（Ｓ８）。屋外検出は、太陽電池パネル８０に太陽光が照射しているか否かで判定している。すなわち、太陽電池パネル８０による発電量検出を利用して屋外検出を行っており、おおよそ１万ルクス以上の強い光を検出した場合に、電子時計１は屋外に配置されていると判断する。このため、制御部６１は、定期的に充電制御回路７１を制御して、太陽電池パネル８０と二次電池１３０との充電経路を切断し、その状態で太陽電池パネル８０の電圧を電圧検出回路７４で検出し、所定電圧以上であれば屋外であると検出する。なお、制御部６１は、内部時刻が夜間（例えば２１時から５時）の間は、屋外検出の判定処理を禁止し、ＧＰＳ衛星信号の受信処理を禁止してもよい。夜間には太陽光のような強い光を受光することがなく、電子時計１が屋外に配置されていることを検出できないためである。
【００９１】
制御部６１は、Ｓ７、Ｓ８のいずれかで「ＮＯ」と判定すると、Ｓ１の処理に戻り、Ｓ７、Ｓ８で「ＹＥＳ」と判定すると、指針２６を「１」の位置、または機内モード解除直後で測位モードが選択された場合は「４＋」の位置に移動し、ＧＰＳ衛星信号の受信中であることを表示する（Ｓ９）。
次に、制御部６１は、ＧＰＳ衛星信号の受信処理を開始する（Ｓ２０，Ｓ３０）。すなわち、電池電圧が所定値２（３．６Ｖ）以上であり、屋外検出がある場合、通常は、測時受信処理（Ｓ２０）を実行し、機内モード解除後の１回のみ測位受信処理（Ｓ３０）を実行する。
したがって、毎日の標準電波の受信に失敗した場合には、Ｓ７、Ｓ８の条件に該当すればＧＰＳ衛星信号の受信処理が実行される。
【００９２】
［測時受信処理］
次に、図１８に示す測時受信処理（Ｓ２０）について説明する。本実施形態では、Ｓ９で受信モードを指針２６が指示している状態で、図１８の処理が実行される。
測時受信制御部６４３は、衛星サーチを開始する（Ｓ２１）。そして、測時受信制御部６４３は、衛星を捕捉できたか否かを判断する（Ｓ２２）。測時受信制御部６４３は、Ｓ２２で衛星を捕捉できていないために「ＮＯ」と判断した場合、測時受信開始からの経過時間が、衛星捕捉用の所定のタイムアウト時間（例えば、１５秒）になったか否かを判断する（Ｓ２３）。
【００９３】
測時受信制御部６４３は、Ｓ２３でタイムアウト時間を経過してタイムアウトになった場合（Ｓ２３でＹＥＳ）には受信を終了し（Ｓ２４）、制御部６１は通常運針に戻る（Ｓ２５）。
一方、測時受信制御部６４３は、Ｓ２３でタイムアウトになっていない場合（Ｓ２３でＮＯ）には、Ｓ２１の衛星サーチ処理を継続する。
【００９４】
測時受信制御部６４３は、Ｓ２２で衛星を捕捉できたと判断した場合（Ｓ２２でＹＥＳ）は、時刻データ（Ｚカウント）が取得できたか否かを判断する（Ｓ２６）。なお、複数の衛星を捕捉できている場合には、信号強度（ＳＮＲ）が高い衛星信号から時刻データを取得してもよいし、複数の衛星からそれぞれ時刻データを取得し、時刻データの整合性を確認して時刻データの取得成功を判断してもよい。
測時受信制御部６４３は、Ｓ２６で「ＮＯ」と判断した場合、所定のタイムアウト時間（例えば３０秒）を経過したか否かを判断する（Ｓ２７）。
【００９５】
測時受信制御部６４３は、Ｓ２７で「ＮＯ」と判断した場合、Ｓ２６の処理を繰り返す。ＧＰＳ衛星信号では、Ｚカウントは６秒間隔で受信できるため、Ｓ２７のタイムアウト時間が３０秒であれば、タイムアウトになるまでにＺカウントを５回受信することができる。
【００９６】
測時受信制御部６４３は、Ｓ２７でタイムアウトになった場合（Ｓ２７でＹＥＳ）、受信処理を終了し（Ｓ２４）、通常運針に戻る（Ｓ２５）。
一方、測時受信制御部６４３は、Ｓ２６で「ＹＥＳ」と判断した場合は、受信を終了し（Ｓ２８）、時刻情報修正部６１０は取得した時刻データに基づいて時刻情報を修正する（Ｓ２９）。時刻情報修正部６１０が時刻情報を修正すると、表示制御部６２０は、修正した時刻情報に基づいて、駆動回路６２を介して指針２１〜２３の表示を修正し、指針２６も曜日表示に戻して、通常運針に戻る（Ｓ２５）。
以上により、自動受信条件に該当した場合の測時受信処理が終了する。この測時受信処理が終了すると、制御部６１は、図１７のＳ１に戻って処理を継続する。
【００９７】
［測位受信処理］
次に、測位受信処理Ｓ３０について、図１９を参照して説明する。
測位受信処理Ｓ３０が開始されると、表示制御部６２０は、測位受信中であることを指針２６で指示する（Ｓ３１）。すなわち、表示制御部６２０は、測位受信処理中は、第２サブダイヤル１３の左側に表示された「４＋」の記号を指針２６で指示する。また、測位受信制御部６４４は、ＧＰＳ受信部５００に制御信号を出力して測位受信処理を開始する（Ｓ３１）。
【００９８】
測位受信開始が指示されると、ＧＰＳ受信部５００（ベースバンド部５２０）は、衛星サーチ処理を行う（Ｓ３２）。
ＧＰＳ受信部５００は、衛星サーチ処理において、衛星信号の受信レベルが予め設定された所定レベル以上の場合に、そのＧＰＳ衛星Ｓを捕捉できたものと判断する。
そして、ＧＰＳ受信部５００は、測位を行うために必要な所定数（少なくとも３個、通常は４個）以上の衛星信号を捕捉できたかを判断する（Ｓ３３）。
【００９９】
ＧＰＳ受信部５００は、Ｓ３３で「ＮＯ」と判断した場合、衛星サーチ処理用のタイムアウト時間を経過したかを判断する（Ｓ３４）。この衛星サーチ処理用のタイムアウト時間は、例えば１５秒である。
ＧＰＳ受信部５００は、Ｓ３４で「ＮＯ」と判断した場合、Ｓ３２の衛星サーチ処理を継続する。
また、ＧＰＳ受信部５００は、Ｓ３４で「ＹＥＳ」と判断した場合、測位受信処理を終了し（Ｓ３５）、制御部６１は通常運針に戻す（Ｓ３６）。この場合、電子時計１は、ＧＰＳ衛星Ｓを捕捉できない環境に配置されていると判断し、受信処理を継続して二次電池１３０の電力を消費することを避けるためである。
【０１００】
ＧＰＳ受信部５００は、Ｓ３３で「ＹＥＳ」と判断した場合、捕捉した衛星信号から衛星軌道データ（エフェメリス）を取得できたかを判断する（Ｓ３７）。
ＧＰＳ受信部５００は、Ｓ３７で「Ｙｅｓ」と判断した場合、取得した衛星軌道データに基づいて測位計算を行い、測位計算を完了したかを判断する（Ｓ３８）。
【０１０１】
ＧＰＳ受信部５００は、Ｓ３７，Ｓ３８で「Ｎｏ」と判断した場合、測位計算用のタイムアウト時間を経過したかを判断する（Ｓ３９）。この測位計算用のタイムアウト時間は、例えば１２０秒である。
ＧＰＳ受信部５００は、Ｓ３９でタイムアウトであると判定すると（Ｓ３９でＹＥＳ）、受信処理を終了し（Ｓ３５）、制御部６１は通常運針処理に戻す（Ｓ３６）。
一方、ＧＰＳ受信部５００は、Ｓ３９でタイムアウトではないと判定した場合（Ｓ３９でＮＯ）は、Ｓ３７に戻り処理を継続する。
【０１０２】
ＧＰＳ受信部５００は、Ｓ３８で「Ｙｅｓ」と判定した場合、受信処理を終了し（Ｓ４０）、測位計算によって算出された測位情報に対応する時差情報を、フラッシュメモリー５４０に記憶された時差データベースから読み出し、制御部６１に出力する（Ｓ４１）。
制御部６１の時刻情報修正部６１０は、ＧＰＳ受信部５００から出力された時差情報を用いて時刻情報を修正し、表示制御部６２０は修正された時刻を指針２１〜２３で表示する（Ｓ４２）。その後、制御部６１は、通常運針処理を行う（Ｓ３６）。
以上により、自動受信条件に該当した場合の測位受信処理が終了する。この測位受信処理が終了すると、制御部６１は、図１７のＳ１に戻って処理を継続する。
【０１０３】
［標準電波受信処理］
次に、図２０に示す標準電波受信処理（Ｓ５０）について説明する。
受信処理が開始されると、制御部６１は、受信局（標準電波の種類）を選択する（Ｓ５１）。受信局は、前述のとおり、測位受信処理で得られた位置情報や、ユーザーの選択で設定されたタイムゾーンデータに基づいて選択される。また、前回の受信処理に成功している場合には、前回の受信局が設定される。
【０１０４】
次に、制御部６１は、二値化回路４１７から出力されるＴＣＯ信号に基づいて秒同期処理を行う（Ｓ５２）。制御部６１は、入力されたＴＣＯ信号の立ち上がりタイミングが１秒間隔になったかを確認することで、秒同期を確立する。
【０１０５】
Ｓ５２で秒同期に失敗したと判定した場合（Ｓ５２でＮＯ）、制御部６１は、すべての局の受信が終了したかを判断する（Ｓ５３）。そして、Ｓ５３でＮＯの場合、制御部６１は、Ｓ５１の受信局選択に戻って他の局を選択し、処理を続行する。なお、Ｓ５３で判定する「すべての局」とは、電子時計１において受信可能な標準電波のすべて（例えば、ＪＪＹ４０、ＪＪＹ６０、ＷＷＶＢ、ＢＰＣ、ＤＣＦ７７、ＭＳＦを受信可能に設定されている場合、これらのすべての局）でもよいし、測位受信時に得られた位置情報に基づいて受信可能な局のみ（例えば、位置情報がロンドンであれば、ＭＳＦと、ＤＣＦ７７の２つの局）でもよい。
制御部６１は、Ｓ５３でＹＥＳと判定した場合、標準電波を受信できる状態ではないと判断し、受信を終了し（Ｓ５４）、通常運針に戻る（Ｓ５５）。
【０１０６】
制御部６１は、Ｓ５２で秒同期に成功したと判定した場合、タイムコードの０秒位置を示すマーカーを取得してフレーム同期を行う（Ｓ５６）。例えば、日本の標準電波ＪＪＹでは、Ｐ０およびＭのマーカーが連続する部分がタイムコードの開始時点となり、この連続するマーカーを検出することでフレーム同期を確立することができる。
【０１０７】
マーカーを取得してフレーム同期が確立すると、制御部６１は、二値化回路４１７から出力されるＴＣＯ信号をデコードしてタイムコード（ＴＣ）を取得する（Ｓ５７）。
次に、制御部６１は、受信開始から所定時間（たとえば５分）経過したかを判断する（Ｓ５８）。Ｓ５８でＹＥＳの場合、それ以上、受信処理を継続しても標準電波を受信できる状態ではなく、電力を無駄に消費してしまうと判断し、制御部６１は、受信を終了し（Ｓ５４）、通常運針に戻る（Ｓ５５）。
【０１０８】
制御部６１は、Ｓ５８でＮＯと判断した場合、時刻データが整合するかを判断する（Ｓ５９）。すなわち、制御部６１は、パリティビットによるチェックや、時刻データが存在しない時刻になっていないか等を判断する。
制御部６１は、Ｓ５９でＹＥＳと判断した場合、３フレームデータが一致するかを判断する（Ｓ６０）。制御部６１は、３つの連続するタイムコードを取得して得られた各時刻データが１分間隔である場合、３フレームデータが一致すると判断する。
【０１０９】
制御部６１は、Ｓ５９やＳ６０でＮＯと判断した場合、Ｓ５７のタイムコード取得処理に戻る。
制御部６１は、Ｓ６０でＹＥＳと判断した場合、正確なＴＣが取得されたため、標準電波の受信動作を終了させる（Ｓ６１）。この後、制御部６１は、取得したＴＣで内部時刻を修正し（Ｓ６２）、通常運針に戻る（Ｓ５５）。
以上により、自動受信条件に該当した場合の標準電波受信処理が終了する。この標準電波受信処理が終了すると、制御部６１は、図１７のＳ１に戻って処理を継続する。
【０１１０】
［手動受信処理手順］
本実施形態において、標準電波の受信処理は自動受信処理のみであるが、ＧＰＳ受信処理（測時受信処理、測位受信処理）はＡボタン３６の操作による手動受信でも行えるように設定されている。手動受信処理の具体的な受信処理は、前記自動受信処理と同様であるため、説明を省略する。
【０１１１】
［実施形態の作用効果］
電子時計１に、衛星信号受信部５と標準電波受信部４との２種類の電波を受信する受信部を設けたので、時刻情報を取得できる確率を向上できる。
また、電子時計１の外装ケース３０内に配置される部品のうち、比較的厚さ寸法が大きな部品である平面アンテナ４０、バーアンテナ１５０、二次電池１３０を互いに平面的に重ならない位置に配置したので、電子時計１を薄型化できる。
さらに、ステップモーター１４１〜１４５を、平面アンテナ４０およびバーアンテナ１５０と平面的に重ならない位置に配置したので、さらに電子時計１を薄型化できる。
【０１１２】
その上、複数のステップモーター１４１〜１４５のうち、第１ステップモーター１４１、第３ステップモーター１４３、第５ステップモーター１４５の３つのモーターを、二次電池１３０と平面的に重なる位置に配置したので、すべてのステップモーター１４１〜１４５を二次電池１３０と平面的に重ならないように配置する場合に比べて、外装ケース３０の平面サイズを小さくでき、電子時計１を小型化できる。
さらに、ステップモーター１４１〜１４５および二次電池１３０は、平面アンテナ４０およびバーアンテナ１５０に比べると厚さ寸法を小さくできるため、ステップモーター１４１、１４３、１４５を二次電池１３０と平面的に重ねても、ステップモーター１４１〜１４５を各アンテナ４０，１５０と重ねる場合に比べて、電子時計１の厚さ寸法を小さくでき、電子時計１を薄型化できる。
【０１１３】
さらに、ステップモーター１４１〜１４５を二次電池１３０と平面的に重ねた場合、金属製の電池が耐磁板としても機能するため、ステップモーター１４１〜１４５が外部磁界の影響を受けて誤動作することも防止できる。
その上、複数の指針軸２７〜２９のうち、指針軸２７，２８は二次電池１３０と平面的に重なる位置に配置したので、指針軸２７，２８に指針２１〜２５を押し込んで取り付ける場合に、指針軸２７，２８に加わる力を二次電池１３０で支持することができる。すなわち、輪列受け１２７、第１回路基板７１０、第２耐磁板９２、スペーサー１２８、二次電池１３０が順次積層されている。このため、指針２１〜２５を指針軸２７，２８に押し込む際の力を、樹脂部品などに比べて強度の高い金属製の二次電池１３０で支持でき、安定した針取り付け性を確保できる。
【０１１４】
太陽電池パネル８０に切欠部８１０を形成し、電極８２、８４と平面アンテナ４０とが平面的に重ならないように配置したので、平面アンテナ４０でのアンテナ特性の劣化を防止できる。
また、太陽電池パネル８０の電極８２、８４と、バーアンテナ１５０とは平面的に重ねているので、ソーラーセルの面積を大きくでき、発電量を確保できる。
【０１１５】
第２回路基板７２０に、各アンテナ４０、１５０と、各アンテナ４０，１５０の受信用のＩＣ（ＧＰＳ−ＩＣ５０１、標準電波受信用ＩＣ４０１）とをまとめて実装しているので、各アンテナ４０、１５０から受信用ＩＣ４０１，５０１までの信号経路を短くでき、アンテナで受信した信号にノイズが影響する可能性を低くできる。このため、各受信用ＩＣは、ノイズの影響が軽減された信号を処理でき、正しい時刻情報を取得できる可能性も向上できる。
また、第２回路基板７２０とは異なる第１回路基板７１０に、電源制御ＩＣ７１１と、ステップモーター１４１〜１４５の駆動制御用のＣＰＵ−ＩＣ７１２を設けたので、第２回路基板７２０と第１回路基板７１０とを離して配置でき、ステップモーター１４１〜１４５の駆動信号などが受信信号に影響することも防止できる。
【０１１６】
電子時計１のムーブメント２は、第１耐磁板９１および第２耐磁板９２の２枚の耐磁板を備えているので、ステップモーター１４１〜１４５の時計表面側および時計裏面側にそれぞれ第１耐磁板９１および第２耐磁板９２を配置することができる。このため、ステップモーター１４１〜１４５に時計表面側および時計裏面側から外部磁界が影響することを防止でき、ステップモーター１４１〜１４５の誤動作を防止できる。
さらに、各耐磁板９１、９２は、各アンテナ４０，１５０と平面的に重なる部分が除かれているので、各アンテナ４０、１５０で受信する電波が耐磁板９１、９２によって妨げられることがなく、受信性能も確保できる。
【０１１７】
さらに、衛星信号受信部５は、衛星信号受信制御部６４２によって、電池残量が所定値２以上の場合のみ自動受信条件に該当するように設定したため、衛星信号受信部５の作動によって電池電圧が低下してシステムダウンとなることを確実に防止できる。
標準電波受信部４は、標準電波受信制御部６４５によって、電池残量が所定値１以上であれば作動可能に設定したため、電池残量が所定値２未満の場合でも、標準電波受信部４を作動することができる。このため、標準電波受信部４を作動できる機会を増やすことができ、計時時刻のずれを小さくできる。
さらに、標準電波受信部４は、電池残量が所定値１未満の場合は受信を禁止しているので、電源低下によって制御部６１の最低動作電圧を下回るシステムダウンを確実に防ぐことができる。
【０１１８】
標準電波受信制御部６４５は、計時時刻が設定された受信時刻になると標準電波受信部４を作動するため、毎日定時に標準電波の受信処理を実行できる。衛星信号受信制御部６４２は、標準電波の受信が成功しない場合のみ衛星信号受信部５を作動するため、標準電波受信部４を優先的に作動でき、標準電波を受信できない場合に衛星信号受信部５を作動することができる。このため、標準電波を受信可能な地域で電子時計１を利用している場合には、消費電流が少ない標準電波受信部４によって時刻情報を取得でき、標準電波を受信できない地域では衛星信号受信部５によって時刻情報を取得できる。したがって、時刻情報を取得するための受信処理の消費電力を抑制できる。
【０１１９】
衛星信号受信部５を作動する条件である所定値２は、測位受信処理によって電池残量がシステムダウンレベルに低下することがない値に設定しているので、測時受信処理に比べて消費電流が大きい測位受信処理を実行した場合でもシステムダウンすることを確実に防止できる。
【０１２０】
太陽電池パネル８０の発電量を電圧検出回路７４で検出することで屋外に配置されていることを判定できるので、衛星信号を受信しやすい環境に電子時計１が配置されている場合に屋外であると判定できる。したがって、衛星信号の自動受信時に受信に成功する確率を向上できる。
【０１２１】
電池残量を表示する指針２６および第２サブダイヤル１３を備え、受信開始時に電池残量を表示することができる。この場合、ユーザーは電池残量が低いために受信処理が実行されなかったことを把握できる。したがって、受信に失敗した理由をユーザーが把握できるので、電池を充電して受信条件に該当するように対応することもでき、利便性を向上できる。
表示制御部６２０は、指針２６によって、測位受信中、測時受信中であることをそれぞれ表示できるので、ユーザーは、現在の受信モードを容易に確認できる。
【０１２２】
電源供給部７は、太陽電池パネル８０および二次電池１３０を備えているので、仮に電池残量が各閾値未満に低下して受信処理を実行できなかった場合には、ユーザーが太陽電池パネル８０による発電を意識的に行うことで、二次電池１３０を充電することができる。したがって、再度受信操作を行った場合に、電池残量が各閾値以上になっていれば、受信処理を実行することができる。
【０１２３】
［他の実施形態］
なお、本発明は前記実施形態に限定されず、本発明の要旨の範囲内で種々の変形実施が可能である。
例えば、平面アンテナ４０、バーアンテナ１５０、二次電池１３０、ステップモーター１４１〜１４５のレイアウトとしては、前記実施形態に限定されない。例えば、図２１に示すムーブメント２Ａのように、カレンダー小窓１５を文字板１１の４時から５時の位置に形成し、カレンダー小窓１５と平面アンテナ４０とが平面的に重なるように配置してもよい。このため、平面アンテナ４０は、文字板１１の４時から６時の範囲に配置され、二次電池１３０は文字板１１の平面中心位置から１１時方向の範囲に配置されている。バーアンテナ１５０は、前記実施形態と同じく文字板１１の９時位置に配置されている。このように、平面アンテナ４０、バーアンテナ１５０、二次電池１３０は、互いに平面的に重ならないように配置すればよい。
なお、平面アンテナ４０に平面視で重なる位置にカレンダー小窓１５を形成すれば、カレンダー小窓１５から、第１耐磁板９１の切欠部９１５と、太陽電池パネル８０の切欠部８１０とを通して、カレンダー車２０を視認することができる。このため、太陽電池パネル８０では、切欠部８１０の他に開口部８２０を形成する必要が無く、その分、ソーラーセルの面積を大きくできる。また、第１耐磁板９１においては、切欠部９１５の他に、切欠部９１１を形成する必要が無く、加工を少なくでき、かつ、耐磁性能を向上できる。
【０１２４】
第１耐磁板９１の切欠部９１１、９１５、切断部９１６と、第２耐磁板９２の切欠部９２５、切断部９２６は、第１耐磁板９１や第２耐磁板９２をプレス加工等で製造する際に同時に形成すればよいが、第１耐磁板９１や第２耐磁板９２のプレス加工後に切り欠いたり切断して形成してもよい。
同様に、第１回路基板７１０の切欠部７１３、切断部７１４と、第２回路基板７２０の切欠部７２１も、各基板７１０，７２０の製造時に同時に形成すればよいが、後で切り欠いたり切断して形成してもよい。太陽電池パネル８０の切欠部８１０も同様である。
要するに、太陽電池パネル８０、第１耐磁板９１、第２耐磁板９２、第１回路基板７１０は、平面アンテナ４０やバーアンテナ１５０と平面視で重なる領域が設けられていなければ良く、各切欠部や切断部の形成方法は特に限定されない。
【０１２５】
バーアンテナ１５０の配置位置は、文字板１１の９時位置以外でもよく、１２時位置または６時位置でもよい。なお、バーアンテナ１５０の配置位置は、６時、９時、１２時位置に限定されるものではないが、巻真３８１があるためバーアンテナ１５０を配置できない３時位置を除く、電子時計１の９０度刻みの位置（６時、９時、１２時）が好ましい。すなわち、長波標準電波を受信するバーアンテナ１５０は指向性があり、電波塔（長波標準電波送信所Ｒ）の方角に向ける必要がある。ここで、バーアンテナ１５０が電子時計１の９０度刻みの位置（６時、９時、１２時）に配置されていれば、電子時計１のユーザーにとってもバーアンテナ１５０の配置位置を把握しやすい。このため、ユーザーは、バーアンテナ１５０を電波塔の方角に向けて、標準電波の手動受信操作を行うこともでき、標準電波を受信しやすくできる。
【０１２６】
図２１に示すムーブメント２Ａにおいても、ステップモーター１４１〜１４５および指針軸２７〜２９は、平面アンテナ４０、バーアンテナ１５０と平面的に重ならないように配置されている。ステップモーター１４１〜１４５の一部のモーターは、二次電池１３０と平面的に重なるように配置されている。したがって、前記実施形態と同様の効果を奏することができる。
【０１２７】
前記実施形態では、指針２６は通常は曜日を指示し、Ａボタン３６が押された場合に二次電池１３０の電圧（電池残量）を表示したり、衛星信号の受信処理時に受信モードを表示していたが、二次電池１３０の電池残量を常時表示する指針等を設けてもよい。この場合、二次電池１３０の電圧低下をユーザーに容易に通知でき、太陽電池パネル８０による二次電池１３０への充電をユーザーに容易に促すことができる。
【０１２８】
電子時計１としては、第１サブダイヤル１２、第２サブダイヤル１３を備えるものに限定されず、また、第１サブダイヤル１２、第２サブダイヤル１３で表示される情報も、例えばクロノグラフ指針による経過時間などでもよい。受信モードの表示は、指針２６で行うものに限定されず、文字板１１やダイヤルリング３５に「１」（測時受信モード）、「４＋」（測位受信モード）、「ＲＣ」（標準電波受信モード）等の文字や記号を表記し、指針２１で指示することで、受信モードを表示してもよい。同様に、受信結果を指針２１で指示してもよい。
さらに、本実施形態では、自動受信処理時は、指針２６等は受信モードを指示する位置には移動しないように設定してもよい。自動受信処理時には、ユーザーが電子時計１を放置していて指針２６を視認していない場合が多いためである。ただし、自動受信処理時に、指針２６が受信モードおよび受信中であることを指示すれば、自動受信処理時にもユーザーが受信モードなどを確認できる。
【０１２９】
前記実施形態および変形例では、電子時計は、文字板１１および指針２１〜２３からなる時刻表示部を備えているが、本発明はこれに限定されない。電子時計は、液晶パネル等からなる時刻表示部を備えていてもよい。この場合、時刻表示部を駆動する駆動体は、液晶パネルを駆動する駆動部を備えて構成される。
また、この場合、電子時計は時刻表示機能を備えていればよく、時刻表示部は、時刻表示専用の表示部である必要はない。このような電子時計としては、ユーザーの腕に装着されて脈拍を計測する脈拍計や、ユーザーがランニングを行う際などにユーザーの腕に装着されて現在位置を計測して蓄積するＧＰＳロガー等のリスト型機器を例示できる。
【０１３０】
位置情報衛星の例として、ＧＰＳ衛星Ｓについて説明したが、これに限られない。例えば、位置情報衛星としては、ガリレオ（ＥＵ）、ＧＬＯＮＡＳＳ（ロシア）などの他の全地球的公航法衛星システム（ＧＮＳＳ）で利用される衛星が適用できる。また、静止衛星型衛星航法補強システム（ＳＢＡＳ）などの静止衛星や、準天頂衛星（みちびき）等の特定の地域のみで検索できる地域的衛星測位システム（ＲＮＳＳ）などの衛星も適用できる。
受信可能な標準電波の種類は、前述の５カ国の標準電波ではなく、一部の標準電波のみを受信可能に構成してもよい。
【符号の説明】
【０１３１】
１…電子時計、２、２Ａ…ムーブメント、４…標準電波受信部、５…衛星信号受信部、６…制御表示部、７…電源供給部、１１…文字板、１２…第１サブダイヤル、１３…第２サブダイヤル、１５…カレンダー小窓、２０…カレンダー車、２１…指針（秒針）、２２…指針（分針）、２３…指針（時針）、２４…指針（分針）、２５…指針（時針）、２６…指針、２７、２８、２９…指針軸、３０…外装ケース、３１…ケース、３２…ベゼル、３３…カバーガラス、３４…裏蓋、３５…ダイヤルリング、３８…リューズ、３８１…巻真、３８２…オシドリ、４０…平面アンテナ、６１…制御部、７１…充電制御回路、７２…第１レギュレーター、７３…第２レギュレーター、７４…電圧検出回路、８０…太陽電池パネル、８２…電極、８３…アモルファスシリコン半導体薄膜、８４…裏面電極、９１…第１耐磁板、９２…第２耐磁板、１２５…地板、１２７…輪列受け、１３０…二次電池、１４０…駆動機構、１４１…第１ステップモーター、１４２…第２ステップモーター、１４３…第３ステップモーター、１４４…第４ステップモーター、１４５…第５ステップモーター、１５０…バーアンテナ、１５１…アンテナコア、１５２…コイル、４００…標準電波受信回路部、４０１…標準電波受信用ＩＣ、４１０…フィルター用水晶、５００…ＧＰＳ受信部、５０１…ＧＰＳ−ＩＣ、５１０…ＲＦ部、５２０…ベースバンド部、５３０…温度補償回路付き水晶発振回路、５４０…フラッシュメモリー、６１０…時刻情報修正部、６２０…表示制御部、６３０…電圧検出制御部、６４０…受信制御部、７１０…第１回路基板、７２０…第２回路基板、８１０…切欠部、８２０…開口部、９１１…切欠部、９１５…切欠部、９１６…切断部、９２５…切欠部、９２６…切断部、７１１…電源制御ＩＣ。
【図１】
2020012842.tif 000003
【図２】
2020012842.tif 000004
【図３】
2020012842.tif 000005
【図４】
2020012842.tif 000006
【図５】
2020012842.tif 000007
【図６】
2020012842.tif 000008
【図７】
2020012842.tif 000009
【図８】
2020012842.tif 000010
【図９】
2020012842.tif 000011
【図１０】
2020012842.tif 000012
【図１１】
2020012842.tif 000013
【図１２】
2020012842.tif 000014
【図１３】
2020012842.tif 000015
【図１４】
2020012842.tif 000016
【図１５】
2020012842.tif 000017
【図１６】
2020012842.tif 000018
【図１７】
2020012842.tif 000019
【図１８】
2020012842.tif 000020
【図１９】
2020012842.tif 000021
【図２０】
2020012842.tif 000022
【図２１】
2020012842.tif 000023
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
第１アンテナと、前記第１アンテナとは異なる第２アンテナと、複数の指針と文字板とを有する時刻表示部と、前記指針を駆動する複数のモーターと、電池と、時計ケースとを備える電子時計であって、
前記文字板に直交する方向から視認する平面視において、前記第１アンテナと、前記第２アンテナと、前記複数のモーターと、前記電池とは、前記時計ケースの内側に且つ前記文字板と重なる位置に配置され、前記第１アンテナと、前記第２アンテナと、前記電池とは、前記平面視において互いに重ならない位置に配置され、
前記複数のモーターは、前記第１アンテナおよび前記第２アンテナとは、前記平面視において重ならない位置に配置され、
前記時計ケースの内側に、且つ、前記第１アンテナおよび前記第２アンテナとは前記平面視において重ならない位置に配置される第１耐磁板および第２耐磁板を備える
ことを特徴とする電子時計。
【請求項２】
第１アンテナと、前記第１アンテナとは異なる第２アンテナと、複数の指針軸と前記指針軸に取り付けられた指針と文字板とを有する時刻表示部と、前記指針軸を駆動する複数のモーターと、電池と、時計ケースとを備える電子時計であって、
前記文字板に直交する方向から視認する平面視において、前記第１アンテナと、前記第２アンテナと、前記複数のモーターと、前記電池とは、前記時計ケースの内側に且つ前記文字板と重なる位置に配置され、前記第１アンテナと、前記第２アンテナと、前記電池とは、前記平面視において互いに重ならない位置に配置され、
前記複数の指針軸は、前記第１アンテナおよび前記第２アンテナとは、前記平面視において重ならない位置に配置され、
前記時計ケースの内側に、且つ、前記第１アンテナおよび前記第２アンテナとは前記平面視において重ならない位置に配置される第１耐磁板および第２耐磁板を備える
ことを特徴とする電子時計。
【請求項３】
請求項１または請求項２に記載の電子時計において、
前記時計ケースの内側に配置され、前記モーターの駆動を制御する制御用ＩＣと前記電池を含む電源を制御する電源制御ＩＣとが実装された第１回路基板と、
前記時計ケースの内側に配置され、前記第１アンテナと前記第２アンテナと前記第１アンテナによる受信制御を行う受信用ＩＣと前記第２アンテナによる受信制御を行う受信用ＩＣとが実装された第２回路基板と、を備える
ことを特徴とする電子時計。
【請求項４】
請求項１から請求項３のいずれか一項に記載の電子時計において、
前記第１耐磁板は、前記複数のモーターに対して前記文字板側に配置され、
前記第２耐磁板は、前記複数のモーターに対して前記文字板とは反対側に配置される
ことを特徴とする電子時計。
【請求項５】
請求項１から請求項４のいずれか一項に記載の電子時計において、
前記第１アンテナは、パッチアンテナである
ことを特徴とする電子時計。